(57)【要約】【課題】フレキシブルディスプレイにおいて、表示素子の温度特性による表示ムラを軽減する。【解決手段】形状が可変の表示パネルを備えた表示装置であって、前記表示パネルの形状及び鉛直方向に対する傾斜角を検出する第１の検出手段と、前記表示パネルの温度を検出する第２の検出手段と、基準となる形状及び傾斜角における前記表示パネルの温度分布の情報を取得する取得手段と、前記基準となる形状及び傾斜角における温度分布の情報と、前記第１の検出手段により検出される形状及び傾斜角と、前記第２の検出手段により検出される温度と、に基づき、前記表示パネルの温度分布を算出する算出手段と、前記算出手段により算出される温度分布に基づき、前記表示パネルの表示を制御する制御手段と、を備える表示装置。【選択図】図１
2015176057.tif 000002
【特許請求の範囲】
【請求項１】
形状が可変の表示パネルを備えた表示装置であって、
前記表示パネルの形状及び鉛直方向に対する傾斜角を検出する第１の検出手段と、
前記表示パネルの温度を検出する第２の検出手段と、
基準となる形状及び傾斜角における前記表示パネルの温度分布の情報を取得する取得手段と、
前記基準となる形状及び傾斜角における温度分布の情報と、前記第１の検出手段により検出される形状及び傾斜角と、前記第２の検出手段により検出される温度と、に基づき、前記表示パネルの温度分布を算出する算出手段と、
前記算出手段により算出される温度分布に基づき、前記表示パネルの表示を制御する制御手段と、
を備える表示装置。
【請求項２】
前記表示パネルは、折り線に沿って折り曲げることで前記折り線を辺とする複数の平面部からなる形状に変形することができ、
前記算出手段は、前記複数の平面部の各々と前記基準となる形状及び傾斜角における前記表示パネルとの位置関係と、前記基準となる形状及び傾斜角における温度分布の情報と、に基づき、前記各平面部における温度分布を算出し、前記各平面部における温度分布に基づき前記表示パネルの温度分布を算出する請求項１に記載の表示装置。
【請求項３】
前記第１の検出手段は、前記折り線の位置及び折り曲げ角度を検出し、
前記算出手段は、前記第１の検出手段により検出される折り線の位置、折り曲げ角度、及び傾斜角から、前記複数の平面部の各々と前記基準となる形状及び傾斜角における前記表示パネルとの位置関係を算出する請求項２に記載の表示装置。
【請求項４】
前記表示パネルは、曲面の形状に変形することができ、
前記算出手段は、前記曲面を、折り線を辺とする複数の平面部からなる形状に近似し、前記複数の平面部の各々と前記基準となる形状及び傾斜角における前記表示パネルとの位置関係と、前記基準となる形状及び傾斜角における温度分布の情報と、に基づき、前記各平面部における温度分布を算出し、前記各平面部における温度分布に基づき前記表示パネルの温度分布を算出する請求項１〜３のいずれか１項に記載の表示装置。
【請求項５】
前記第１の検出手段は、前記曲面の曲率半径及び中心軸を検出し、
前記算出手段は、前記第１の検出手段により検出される前記曲面の曲率半径及び中心軸に基づき、前記曲面を複数の平面部からなる形状に近似し、前記複数の平面部の各々と前記基準となる形状及び傾斜角における前記表示パネルとの位置関係を算出する請求項４に記載の表示装置。
【請求項６】
前記算出手段は、折り線と各平面部との位置関係に基づき、前記算出した前記表示パネルの温度分布を補正する請求項２〜５のいずれか１項に記載の表示装置。
【請求項７】
前記算出手段は、折り線が平面部に対し鉛直方向で上方向に存在する位置関係である場合、そうでない場合よりも、前記折り線の近傍における温度が高くなるように前記表示パネルの温度分布を補正する請求項６に記載の表示装置。
【請求項８】
前記算出手段は、同じ折り線を辺とする２つの平面部の位置関係に基づき、前記算出した前記表示パネルの温度分布を補正する請求項２〜７のいずれか１項に記載の表示装置。
【請求項９】
前記算出手段は、前記２つの平面部のうち一方の平面部が他方の平面部に対し鉛直方向
で上方向に存在する位置関係である場合、そうでない場合よりも、前記一方の平面部における温度が高くなるように前記表示パネルの温度分布を補正する請求項８に記載の表示装置。
【請求項１０】
前記表示パネルは、複数の歪みセンサを有し、
前記第１の検出手段は、前記複数の歪みセンサによる検出値に基づき、前記表示パネルの形状を検出する請求項１〜９のいずれか１項に記載の表示装置。
【請求項１１】
形状が可変の表示パネルを備えた表示装置の制御方法であって、
前記表示パネルの形状及び鉛直方向に対する傾斜角を検出する第１の検出工程と、
前記表示パネルの温度を検出する第２の検出工程と、
基準となる形状及び傾斜角における前記表示パネルの温度分布の情報を取得する取得工程と、
前記基準となる形状及び傾斜角における温度分布の情報と、前記第１の検出工程により検出される形状及び傾斜角と、前記第２の検出工程により検出される温度と、に基づき、前記表示パネルの温度分布を算出する算出工程と、
前記算出工程により算出される温度分布に基づき、前記表示パネルの表示を制御する制御工程と、
を有する表示装置の制御方法。
【請求項１２】
前記表示パネルは、折り線に沿って折り曲げることで前記折り線を辺とする複数の平面部からなる形状に変形することができ、
前記算出工程では、前記複数の平面部の各々と前記基準となる形状及び傾斜角における前記表示パネルとの位置関係と、前記基準となる形状及び傾斜角における温度分布の情報と、に基づき、前記各平面部における温度分布を算出し、前記各平面部における温度分布に基づき前記表示パネルの温度分布を算出する請求項１１に記載の表示装置の制御方法。
【請求項１３】
前記第１の検出工程では、前記折り線の位置及び折り曲げ角度を検出し、
前記算出工程では、前記第１の検出工程により検出される折り線の位置、折り曲げ角度、及び傾斜角から、前記複数の平面部の各々と前記基準となる形状及び傾斜角における前記表示パネルとの位置関係を算出する請求項１２に記載の表示装置の制御方法。
【請求項１４】
前記表示パネルは、曲面の形状に変形することができ、
前記算出工程では、前記曲面を、折り線を辺とする複数の平面部からなる形状に近似し、前記複数の平面部の各々と前記基準となる形状及び傾斜角における前記表示パネルとの位置関係と、前記基準となる形状及び傾斜角における温度分布の情報と、に基づき、前記各平面部における温度分布を算出し、前記各平面部における温度分布に基づき前記表示パネルの温度分布を算出する請求項１１〜１３のいずれか１項に記載の表示装置の制御方法。
【請求項１５】
前記第１の検出工程では、前記曲面の曲率半径及び中心軸を検出し、
前記算出工程では、前記第１の検出工程により検出される前記曲面の曲率半径及び中心軸に基づき、前記曲面を複数の平面部からなる形状に近似し、前記複数の平面部の各々と前記基準となる形状及び傾斜角における前記表示パネルとの位置関係を算出する請求項１４に記載の表示装置の制御方法。
【請求項１６】
前記算出工程では、折り線と各平面部との位置関係に基づき、前記算出した前記表示パネルの温度分布を補正する請求項１２〜１５のいずれか１項に記載の表示装置の制御方法。
【請求項１７】
前記算出工程では、折り線が平面部に対し鉛直方向で上方向に存在する位置関係である場合、そうでない場合よりも、前記折り線の近傍における温度が高くなるように前記表示パネルの温度分布を補正する請求項１６に記載の表示装置の制御方法。
【請求項１８】
前記算出工程では、同じ折り線を辺とする２つの平面部の位置関係に基づき、前記算出した前記表示パネルの温度分布を補正する請求項１２〜１７のいずれか１項に記載の表示装置の制御方法。
【請求項１９】
前記算出工程では、前記２つの平面部のうち一方の平面部が他方の平面部に対し鉛直方向で上方向に存在する位置関係である場合、そうでない場合よりも、前記一方の平面部における温度が高くなるように前記表示パネルの温度分布を補正する請求項１８に記載の表示装置の制御方法。
【請求項２０】
前記表示パネルは、複数の歪みセンサを有し、
前記第１の検出工程では、前記複数の歪みセンサによる検出値に基づき、前記表示パネルの形状を検出する請求項１１〜１９のいずれか１項に記載の表示装置の制御方法。
【発明の詳細な説明】
【技術分野】
【０００１】
本発明は、表示装置及びその制御方法に関する。
【背景技術】
【０００２】
近年、ディスプレイ技術の進歩により、柔軟に曲げたり、丸めたり等の変形が可能な、フレキシブルディスプレイパネルが開発されている。フレキシブルディスプレイパネルは、現在主流であるガラス基板を用いたフラットパネルディスプレイとは異なり、プラスチックフィルム等の柔軟な基材の上に表示素子を形成したものである。表示素子としては、有機ＥＬ（Electro-Luminescence）素子や液晶素子、電子粉流体等が用いられる。
【０００３】
これら表示素子の表示特性には温度特性があることが知られている。特に、有機ＥＬ素子の場合、素子の温度によりその発光強度、発光色の色味が変化する。このような温度特性を有する表示素子を用いたフレキシブルディスプレイパネルにおいて、所望の表示画質を実現するためには、表示素子をその温度に応じて適切に駆動制御する必要がある。
【０００４】
温度に応じた表示素子の駆動制御技術には、以下のような例がある。例えば、特許文献１では、フラットパネルディスプレイの設置傾斜角が変わった場合に、空気対流の影響によるディスプレイの温度分布の変化に応じて表示素子を駆動制御する技術が示されている。また、特許文献２では、フラットパネルディスプレイの設置状態（傾斜角、エアコン風、日射等）によってディスプレイに設けられた複数の温度センサの温度検出値に誤差が生じた場合に、補正処理に生じる誤差を低減する技術が示されている。
【先行技術文献】
【特許文献】
【０００５】
【特許文献１】特開２００６−２８４９７３号公報
【特許文献２】特開２００７−２２６２６２号公報
【発明の概要】
【発明が解決しようとする課題】
【０００６】
しかしながら、フレキシブルディスプレイのように表示部自体の形状が折り曲げにより変わる場合、折り曲げ角度、折り曲げ位置、設置傾斜角による空気対流の違いにより表示部の温度分布が変わる。特許文献１の技術では、ディスプレイ本体の設置傾斜角の検出値に基づいて温度補正値を算出している。従って、フレキシブルディスプレイの表示部が折り曲げによって一平面でなくなった場合、ディスプレイ本体の設置傾斜角と表示部の傾斜角が異なった状態となるので、温度補正値に誤差が生じ、結果として表示画質が低下することが考えられる。
【０００７】
また、特許文献２の技術では、ディスプレイに設けられた複数の温度センサの温度検出値から一部を選択して抽出し、又は加重平均等演算した値を用いることで、温度補正に生じる誤差を低減している。しかし、フレキシブルディスプレイのように表示部が任意に変形する場合でも高精度に温度補正を行うためには、多数の温度センサを設置する必要があり、構成が複雑化する。
【０００８】
そこで、本発明は、フレキシブルディスプレイにおいて、表示素子の温度特性による表示ムラを軽減する技術を提供することを目的とする。
【課題を解決するための手段】
【０００９】
本発明は、形状が可変の表示パネルを備えた表示装置であって、
前記表示パネルの形状及び鉛直方向に対する傾斜角を検出する第１の検出手段と、
前記表示パネルの温度を検出する第２の検出手段と、
基準となる形状及び傾斜角における前記表示パネルの温度分布の情報を取得する取得手段と、
前記基準となる形状及び傾斜角における温度分布の情報と、前記第１の検出手段により検出される形状及び傾斜角と、前記第２の検出手段により検出される温度と、に基づき、前記表示パネルの温度分布を算出する算出手段と、
前記算出手段により算出される温度分布に基づき、前記表示パネルの表示を制御する制御手段と、
を備える表示装置である。
【００１０】
本発明は、形状が可変の表示パネルを備えた表示装置の制御方法であって、
前記表示パネルの形状及び鉛直方向に対する傾斜角を検出する第１の検出工程と、
前記表示パネルの温度を検出する第２の検出工程と、
基準となる形状及び傾斜角における前記表示パネルの温度分布の情報を取得する取得工程と、
前記基準となる形状及び傾斜角における温度分布の情報と、前記第１の検出工程により検出される形状及び傾斜角と、前記第２の検出工程により検出される温度と、に基づき、前記表示パネルの温度分布を算出する算出工程と、
前記算出工程により算出される温度分布に基づき、前記表示パネルの表示を制御する制御工程と、
を有する表示装置の制御方法である。
【発明の効果】
【００１１】
本発明によれば、フレキシブルディスプレイにおいて、表示素子の温度特性による表示ムラを軽減することができる。
【図面の簡単な説明】
【００１２】
【図１】実施例１の表示装置の構成概略を表すブロック図
【図２】実施例１の表示装置の表示部における折り曲げ検出部の配置例を示す図
【図３】実施例１の表示装置の使用様態例を示す図
【図４】実施例１の表示装置の温度補正値決定フロー図
【図５】実施例１の基準温度分布テーブルの例を示す図
【図６】実施例１の係数テーブルの例を示す図
【図７】実施例２の表示装置の使用様態例を示す図
【図８】実施例２の表示装置の温度補正値決定フロー図
【図９】実施例２の表示装置の曲面折り曲げ部の平面部による近似の例を示す図
【発明を実施するための形態】
【００１３】
以下、本発明の実施例に係る表示装置及びその制御方法について説明する。
（実施例１）
図１に本発明の実施例１に係る表示装置の構成概略を表すブロック図を示す。図１に示すように、表示装置１０１は、表示部１０２、折り曲げ検出部１０３、傾斜角検出部１０４、温度検出部１０５、温度補正部１０６、表示制御部１０７を備えるフレキシブルディスプレイである。表示装置１０１は、ＰＣ（Personal Computer）等の情報端末に接続さ
れるディスプレイ、タブレット型情報端末に一体で組み込まれた表示デバイス等である。上述した各機能部は、例えば、実施例１に係る表示装置の不図示のＣＰＵやメモリに記録されたプログラムを実行することにより実現される。
【００１４】
まず、表示装置１０１の構成について説明する。
表示部１０２は、ユーザが任意に折り曲げることにより形状が可変の表示パネルであって、例えば、プラスチックフィルム等の柔軟な基材の上に有機ＥＬ素子や液晶素子、電子粉流体等の表示素子が形成されて構成されるフレキシブルパネルである。
【００１５】
折り曲げ検出部１０３は、表示部１０２の形状を検出する。表示部１０２が折り線に沿って折り曲げられると、折り曲げ検出部１０３は、折り線の位置及び折り曲げ角度を検出し、表示部１０２の形状の情報として折り曲げ状態の情報を温度補正部１０６に出力する。折り曲げ検出部１０３は、例えば、圧電素子を用いた歪センサを表示部１０２の面内にアレイ状に並べ、各歪みセンサからの検出値から表示部１０２の形状を検出するよう構成することができる。図２（ａ）に示すように、表示部１０２の長辺方向に沿って歪センサ２０１をアレイ状に並べた場合、表示部１０２の長辺方向に沿った折り曲げ位置、またその折り曲げ角度を検出することができる。表示部１０２を任意の折り線方向で折り曲げた場合に、任意の位置での折り曲げ位置、またその折り曲げ角度を検出するためには、図２（ｂ）に示すように、表示部１０２の面内に歪センサ２０１を配置することが好ましい。
【００１６】
傾斜角検出部１０４は、ユーザが任意に設置した表示装置１０１の鉛直方向に対する傾斜角を検出し、温度補正部１０６に出力する。傾斜角検出部１０４は、例えば、重力を検出する加速度センサ等で構成され、表示装置１０１の少なくとも１箇所に配置されていればよい。
【００１７】
温度検出部１０５は、例えば、熱電対や、サーミスタ等の温度検出センサで構成され、表示部１０２の少なくとも１箇所の温度を検出し、温度補正部１０６に出力する。
【００１８】
温度補正部１０６は、折り曲げ検出部１０３及び傾斜角検出部１０４による第１の検出の結果と温度検出部１０５による第２の検出の結果とに基づき表示部１０２の温度分布を算出し、温度分布に基づき表示部１０２の表示を制御するための温度補正値を算出する。すなわち、温度補正部１０６は、上述した各検出部から受け取った情報に基づき、表示部１０２の折り曲げ状態や設置状態に適した温度補正値を算出し、表示制御部１０７に出力する。温度補正値とは、例えば、入力される画像信号に応じて求められる表示部１０２の表示素子を駆動するための駆動信号を補正するための補正値である。温度補正値は、例えば、表示部１０２の表示素子により表示される輝度や色度が、入力される画像信号に応じた適切な輝度や色度となるように、表示素子の温度特性に基づき、表示素子を駆動する駆動信号を補正するための補正値である。
【００１９】
温度補正部１０６は、温度補正値を算出する温度補正量決定部１０８、基準温度分布テーブル１０９、係数テーブル１１０を有する。基準温度分布テーブル１０９、係数テーブル１１０は、表示装置１０１に備わる不図示の記憶装置に記憶されており、不図示のＣＰＵが読み込むことにより、温度補正部１０６で利用される。また、温度補正量決定部１０８の機能を実現するためのプログラムも不図示の記憶装置に記憶されており、ＣＰＵが読み込み実行する。
【００２０】
表示制御部１０７は、受け取った温度補正値の情報をもとに、表示部１０２の駆動制御を行う。表示制御部１０７は、入力される画像信号を、表示部１０２の表示素子を駆動するための駆動信号に変換し、表示部１０２へ出力する。例えば、表示制御部１０７は、所定の基準温度状態における表示素子の表示特性（発光特性）に基づき予め定められる変換式やテーブルを用いて、入力される画像信号から駆動信号への変換を行う。表示制御部１０７は、入力される画像信号から変換して得られた駆動信号を、温度補正部１０６から受け取った温度補正値を用いて、補正する。或いは、表示制御部１０７は、入力される画像信号を、温度補正部１０６から受け取った温度補正値を用いて補正し、補正後の画像信号
から、表示部１０２の駆動信号への変換を行う。これにより、表示装置１０１の温度状態が基準温度状態とは異なる温度状態であっても、画像信号（画素値）に応じた適切な輝度及び色度で表示が行われる。決定された補正値を用いて駆動信号や画像信号を補正する方法は公知の種々の方法を用い得る。
【００２１】
図３に、本発明の実施例１に係る表示装置１０１の使用様態の例として、表示部１０２を短辺に平行な１箇所の折り線３０３で折り曲げた場合を示す。図３（ａ）では、表示部１０２の平面部３０１、３０２は水平な折り曲げ部３０３を境に曲げられており、鉛直方向の相対位置（高さ）が、平面部３０１≦折り曲げ部３０３＜平面部３０２となる場合の使用例を示している。図３（ａ）に示すように、平面部３０１、３０２の各々の水平面に対する角度（傾斜角）をそれぞれφ１、φ２とする。また、平面部３０１、３０２の各々における表示部１０２の長辺の部分と、平面部３０１、３０２の各々と水平面との交線とがなす角度（回転角）をそれぞれθ１、θ２とする。
【００２２】
図３（ｂ）と図３（ｃ）は、同じ折り線を辺とする２つの平面部同士の位置関係の例を示す図である。図３（ｂ）は、鉛直方向の相対位置（高さ）が、折り曲げ部３０３＜平面部３０１、折り曲げ部３０３＜平面部３０２となる場合の使用例を示している。図３（ｃ）は、鉛直方向の相対位置（高さ）が、折り曲げ部３０３≧平面部３０１、折り曲げ部３０３≧平面部３０２となる場合の使用例を示している。
【００２３】
図４に本発明の実施例１に係る表示装置の温度補正値決定フロー図を示す。本フローは、ユーザが表示部１０２の折り曲げ状態を変更し、折り曲げ検出部１０３がその折り曲げ状態を検出して情報を出力し、温度補正部１０６がその情報を受け取った際に開始される。もしくは、本フローは、ユーザが表示部１０２の設置状態を変更して、傾斜角検出部１０４がその設置状態を検出して情報を出力し、温度補正部１０６がその情報を受け取った際に開始される。以下、図３（ａ）で示したような、表示部１０２を短辺と並行な折り線で１箇所折り曲げた場合を例に説明する。
【００２４】
ステップＳ４０１において、温度補正量決定部１０８は、折り曲げ検出部１０３、傾斜角検出部１０４から受信した表示装置１０１の現在の折り曲げ状態、設置傾斜角の情報から、平面部３０１、３０２それぞれの回転角θ１、θ２、傾斜角φ１、φ２を算出する。
【００２５】
次に、ステップＳ４０２において、温度補正量決定部１０８は、基準温度分布テーブルを読み出す。図５に基準温度分布テーブルの例を示す。基準温度分布テーブルは、基準となる形状及び傾斜角における表示部１０２の温度分布の情報を予め測定して記録したものである。実施例１では、基準となる形状及び傾斜角の表示部１０２の温度分布として、直立縦置き状態、直立横置き状態、及び水平置き状態の表示部１０２の温度分布を用いる場合を例に説明する。どのような形状及び傾斜角における表示部１０２の温度分布を基準温度分布とするかはこの例に限られない。基準温度分布テーブルに格納される情報は、表示部１０２の表示領域を含む所定範囲内における温度分布の情報である。温度分布の情報は、例えば、温度検出部１０５により検出される温度に対する差分値の情報として記録されていても良いし、所定の使用環境下で温度平衡状態となったときの温度の情報として記録されていても良い。
【００２６】
図５（ａ）は、表示部１０２に折り曲げがなく、（回転角θ、傾斜角φ）が（０°、９０°）である場合（直立横置き状態）の、表示部１０２の温度分布を記録した基準温度分布テーブルｒｅｆ（０，９０）を示す。図５（ｂ）は、表示部１０２に折り曲げがなく、（回転角θ、傾斜角φ）が（９０°、９０°）である場合（直立縦置き状態）の、表示部１０２の温度分布を記録した基準温度分布テーブルｒｅｆ（９０，９０）を示す。図５（ｃ）は、表示部１０２に折り曲げがなく、（回転角θ、傾斜角φ）が（０°、０°）であ
る場合（水平置き状態）の、表示部１０２の温度分布を記録した基準温度分布テーブルｒｅｆ（０，０）を示す。
【００２７】
さらに、ステップＳ４０３において、温度補正量決定部１０８は、読み出した基準温度分布テーブルを用いて、平面部３０１、３０２それぞれの温度分布テーブルを算出する。ステップＳ４０３では、温度補正量決定部１０８は、まず、数１を用いて平面部３０１、３０２の回転角θ１、θ２に応じた温度分布テーブルＲ１、Ｒ２を算出する。このＲ１、Ｒ２には、平面部３０１、３０２を折り曲げ部３０３から先に仮想的に延長した平面部である仮想平面部３０１’、３０２’の成分も含む。
【数１】
2015176057.tif 000003
【００２８】
さらに、ステップＳ４０３では、温度補正量決定部１０８は、数２を用いて平面部３０１、３０２の傾斜角φ１、φ２に応じた温度分布テーブルＴ１、Ｔ２を算出する。このＴ１、Ｔ２には、平面部３０１、３０２を折り曲げ部３０３から先に仮想的に延長した平面部である仮想平面部３０１’、３０２’の成分も含む。
【数２】
2015176057.tif 000004
【００２９】
次に、ステップＳ４０４において、温度補正量決定部１０８は、平面部３０１、３０２の温度分布テーブルＴ１、Ｔ２の値を用い、数３により表示部１０２の全体温度分布テーブルＤを算出する。
【数３】
2015176057.tif 000005
【００３０】
ここで、ｄｉｊ、ｔ１ｉｊ、ｔ２ｉｊはそれぞれＤ、Ｔ１、Ｔ２のｉ列ｊ行目の成分である。ｃ１ｉｊ、ｃ２ｉｊは折り曲げ位置、設置状態に応じて選択され、使用される係数テーブルＣ１、Ｃ２の成分である。係数テーブルＣ１は平面部３０１に対応し、係数テーブルＣ２は平面部３０２に対応する。係数テーブルＣ１、Ｃ２は、事前に種々の折り曲げ位置、設置状態での温度測定を実施して得られた結果に基づき作成され、表示装置１０１の不図示の記憶装置に記憶される。或いは、温度補正量決定部１０８を構成するプログラムがテーブルデータを有していても良い。
【００３１】
図６に、係数テーブルＣ１、Ｃ２の例を示す。例えば、鉛直方向の相対位置（高さ）の関係が平面部３０１≦折り曲げ部３０３＜平面部３０２の場合、平面部３０１は平面部３０２からの空気対流による伝熱の影響が小さい。これに対し、平面部３０２は平面部３０１からの空気対流による伝熱の影響を受け、平面部３０１よりも高温になる。従ってこの場合、折り曲げ部３０３近傍の位置に相当する係数テーブルＣ１、Ｃ２の成分は、ｃ２ｉｊ＞ｃ１ｉｊとなる。すなわち、同じ折り線を辺とする２つの平面部の一方が他方に対し鉛直方向で上方向に存在する位置関係である場合、そうでない場合よりも、当該一方の平面部における温度が高くなるように、平面部の温度分布から算出される全体の温度分布が補正される。
【００３２】
一方、例えば、鉛直方向の相対位置（高さ）の関係が平面部３０１≦折り曲げ部３０３
、平面部３０２≦折り曲げ部３０３の場合、折り曲げ部３０３近傍、すなわち平面部３０１、３０２により形成される鋭角の側では熱がこもりやすい。従ってこの場合、折り曲げ部３０３近傍の位置に相当する係数テーブルＣ１、Ｃ２の成分は、他の場合に比べて大きな値となる。すなわち、折り線が平面部に対し鉛直方向で上方向に存在する位置関係である場合、そうでない場合よりも、折り線の近傍における温度が高くなるように、平面部の温度分布から算出される全体の温度分布が補正される。
【００３３】
以上のように、表示部１０２が折り線に沿って折り曲げられることで複数の平面部からなる形状に変形する場合、複数の平面部の各々の回転角及び傾斜角により、各平面部と基準となる形状及び傾斜角の表示部１０２との位置関係が表される。温度補正量決定部１０８は、各平面部と基準となる形状及び傾斜角の表示部１０２との位置関係と、図５に示すような基準となる形状及び傾斜角の表示部１０２の温度分布の情報と、から各平面部における温度分布を算出する。温度補正量決定部１０８は、算出した各平面部における温度分布に基づき、表示部１０２の全体温度分布を算出する。このとき、温度補正量決定部１０８は、上述のように、折り線と各平面部との位置関係に基づき定められる係数テーブルを用いて、算出した各平面部の温度分布を補正する。また、同じ折り線を辺とする２つの平面部同士の位置関係に基づき定められる係数テーブルを用いて、算出した各平面部の温度分布を補正する。これにより、表示部１０２の形状及び傾斜角に応じた熱の流れを考慮して、表示部１０２の温度分布の算出結果を補正することができ、表示部１０２の全体温度分布を精度良く推定することが可能となる。
【００３４】
次に、ステップＳ４０５において、温度補正量決定部１０８は、算出した表示部１０２の全体温度分布テーブルＤと、温度検出部１０５によって検出された表示部１０２の絶対温度の情報をもとに、表示部１０２の全体温度分布を算出する。温度補正量決定部１０８は、算出した全体温度分布と、表示素子の温度特性とに基づき、温度補正値を決定し、表示制御部１０７に出力する。
なお、実施例１では、表示部を短辺と並行な折り線で曲げた場合の例を記述したが、前記折り線が任意の位置、角度であっても、本発明を適用することができる。
【００３５】
実施例１によれば、種々の形状に折り曲げられるフレキシブルディスプレイにおいても、１つ又は少ない数のセンサによる検出値から、任意の折り曲げ状態及び設置傾斜状態における温度分布を精度良く求めることができる。従って、フレキシブルディスプレイにおいて、表示素子の表示特性に温度依存性がある場合でも、表示パネルの各部における温度に応じて表示素子の駆動を精度良く補正することができ、表示ムラを軽減することが可能になる。
【００３６】
（実施例２）
実施例２では、表示装置が曲面で曲げられている場合の温度補正値の算出例を示す。なお、実施例２に係る表示装置の構成は、図１に示す実施例１の構成と同様であるため、説明は省略する。
図７に、実施例２に係る表示装置の使用様態の例を示す。図７の例では、表示部１０２は、短辺と平行な直線を中心軸とした曲率半径ｒの曲面７０１で曲げられている。
【００３７】
次に、図８に実施例２に係る表示装置の温度補正値決定フロー図を示す。本フローは、ユーザが表示部１０２の折り曲げ状態を変更し、折り曲げ検出部１０３がその折り曲げ状態を検出して情報を出力し、温度補正部１０６がその情報を受け取った際に開始される。もしくは、本フローは、ユーザが表示部１０２の設置状態を変更して、傾斜角検出部１０４がその設置状態を検出して情報を出力し、温度補正部１０６がその情報を受け取った際に開始される。以下、図７で示したような、表示部１０２が短辺と平行な直線を中心軸とした曲率半径ｒの曲面７０１で曲げられている場合を例に、説明する。
【００３８】
まず、ステップＳ８０１において、温度補正量決定部１０８は、折り曲げ検出部１０３、傾斜角検出部１０４から受信したセンサ値から、現在の表示部１０２の曲面状に曲げられた形状及び設置傾斜状態を取得する。形状の情報としては、曲率半径や中心軸の位置がある。設置傾斜状態の情報としては、鉛直方向に対する傾斜角がある。温度補正量決定部１０８は、取得した表示部１０２の形状を平面近似し、複数の平面部を算出する。
【００３９】
図９に、曲面７０１で曲げられた表示部１０２を複数の平面部で近似した例を示す。図９（ａ）は、曲面７０１で曲げられた表示部１０２を２つの平面部９０１ａ，９０２ａで近似した例を示している。この近似は、曲面状の折り曲げを、図３（ａ）に示す表示部１０２を短辺に平行な折り線で１箇所、折り曲げた場合に近似することに相当する。図９（ｂ）は、曲面７０１で曲げられた表示部１０２を３つの平面部９０１ｂ、９０２ｂ、９０３ｂで近似した例を示している。この場合、図９（ａ）の２つの平面部９０１ａ，９０２ａで近似した場合に比べて、より精度の高い近似を行うことができる。
【００４０】
本実施例の温度補正決定手法によれば、この平面近似が高精度であるほど、精度よく表示素子の温度補正を行うことができる。一般に曲面を平面分割して近似する場合、分割数を多くするほど近似精度は向上するので、平面分割数を多くするほど、より精度よく表示素子の温度補正を行うことができる。一方で、平面分割数を多くした場合、近似平面の算出計算処理コストが増加するので、温度補正値の算出に時間がかかってしまう。これらを考慮し、最適な平面分割数を選択することが望ましい。なお、曲面を複数平面に近似する手法は任意の手法を用いることができる。以下、図９（ｂ）に示すように、曲面７０１で曲げられた表示部１０２を３つの平面部９０１ｂ、９０２ｂ、９０３ｂで近似した場合を例に、説明する。
【００４１】
ステップＳ８０２において、温度補正量決定部１０８は、ステップＳ８０１で曲面を近似して得られた複数の平面部９０１ｂ、９０２ｂ、９０３ｂの回転角θ１、θ２、θ３、傾斜角φ１、φ２、φ３を算出する。
次に、ステップＳ８０３〜８０６において、温度補正量決定部１０８は、ステップＳ４０２〜４０５と同様に、回転角θ１、θ２、θ３、傾斜角φ１、φ２、φ３を用いて、温度補正値を決定し、表示制御部１０７に出力する。
なお、実施例２では表示部を短辺と平行な直線を中心軸とした曲率半径ｒをもって曲げた場合の例を記述したが、前記中心軸が任意の位置、角度であっても、本発明を適用することができる。
【００４２】
上記各実施例は本発明の実施形態の一例であり、本発明の範囲内で種々の変更を加えることができる。例えば、温度検出部１０５は１つのセンサにより構成されていても良いし、複数のセンサにより構成されていても良い。また、上記各実施例では、基準温度分布テーブルには、表示装置を直立横置きした場合、直立縦置きした場合、及び水平置きした場合の温度分布情報が記憶されている例を説明したが、基準となる温度分布情報はこれに限らない。基準となる温度分布から、折り曲げ検出部及び傾斜角検出部によって検出される回転角θと傾斜角φに基づき、任意の折り曲げ状態及び設置傾斜角状態における温度分布を算出することができれば良い。また、上記各実施例では、表示装置の折り曲げ状態及び設置傾斜状態を検出するために折り曲げ検出部と傾斜角検出部による検出結果を用いる例を示したが、表示装置の折り曲げ状態及び設置傾斜状態を検出することができれば検出手段はこの例に限られない。表示装置の折り曲げ状態及び設置傾斜状態を一意に特定することができる複数のパラメータを任意に定めることができる。その場合、当該複数のパラメータの実測値を得ることができるセンサ等を表示装置に備えるとともに、当該複数のパラメータが所定の基準値である場合の温度分布の情報を取得することができる構成を有していればよい。また、式１〜３は、図５に示す基準温度分布テーブルを用いた場合の任意の
折り曲げ状態及び設置傾斜状態における温度分布を算出するための式である。基準温度分布テーブルとして異なる折り曲げ状態及び設置傾斜状態における温度分布を用いる場合は、任意の折り曲げ状態及び設置傾斜状態における温度分布を算出する式は式１〜３とは異なる式になり得る。
【００４３】
＜その他の実施形態＞
本発明は、記憶媒体に記録された、コンピュータにより実行可能な命令を、読み出し実行することで上述した本発明の実施形態に記載した１以上の機能を行うシステムや装置のコンピュータによっても、実施することができる。ここで、記憶媒体は、非一時的にデータを保持するコンピュータ読取可能な記憶媒体である。本発明はまた、システムや装置のコンピュータによって行われる方法であって、例えばコンピュータにより実行可能な命令を記憶媒体から読み出し実行することで上述した本発明の実施形態に記載した１以上の機能が行われる、方法によっても実施することができる。コンピュータは、１以上のＣＰＵ（central processing unit）、ＭＰＵ（micro processing unit）、その他の回路により構成される。更に別個の複数のコンピュータや別個のコンピュータプロセッサのネットワークを含んでも良い。コンピュータにより実行可能な命令は、例えば、ネットワークや記憶媒体からコンピュータに提供されても良い。記憶媒体は、例えば、１以上の、ハードディスク、ＲＡＭ（random-access memory）、ＲＯＭ（read only memory）、分散コンピューティングシステムの記憶装置を含んでも良い。記憶媒体はまた、光学ディスク（例えばＣＤ（compact disc）、ＤＶＤ（digital versatile disc）、ＢＤ（登録商標）（Blu-ray Disc））、フラッシュメモリ、メモリカードを含んでも良い。実施例を参照して本発明を説明したが、本発明は実施例の開示に限定されないものと解されるべきである。本発明は、実施例に対する本発明の範囲内のあらゆる変形や等価な構造や機能を包含するよう最も広く解釈されるべきものである。
【符号の説明】
【００４４】
１０１：表示装置、１０２：表示部、１０３：折り曲げ検出部、１０４：傾斜角検出部、１０５：温度検出部、１０６：温度補正部、１０７：表示制御部
【図１】
2015176057.tif 000006
【図２】
2015176057.tif 000007
【図３】
2015176057.tif 000008
【図４】
2015176057.tif 000009
【図５】
2015176057.tif 000010
【図６】
2015176057.tif 000011
【図７】
2015176057.tif 000012
【図８】
2015176057.tif 000013
【図９】
2015176057.tif 000014